(57)【要約】  本発明では、マルチポイント協調伝送（ＣｏＭＰ）の設定を実現する方法が開示されている。該方法は、ＣｏＭＰをサポートする伝送モードを設け、基地局（ｅＮＢ）が、無線リソース制御（ＲＲＣ）シグナリングを介して、ユーザ端末（ＵＥ）に対して、ＣｏＭＰをサポートする伝送モードを設定する、ことを含む。本発明に係る方法によれば、ＣｏＭＰの設定を実現することが可能になり、ＬＴＥシステムがＣｏＭＰ機能をサポートできるようになる。
2012144645.tif 000002
【特許請求の範囲】
【請求項１】
マルチポイント協調伝送（ＣｏＭＰ）の設定を実現する方法であって、
ＣｏＭＰをサポートする伝送モードを設け、
基地局（ｅＮＢ）は、無線リソース制御（ＲＲＣ）シグナリングを介して、ユーザ端末（ＵＥ）に対して、ＣｏＭＰをサポートする伝送モードを設定する、
ことを含むことを特徴とする方法。
【請求項２】
ＵＥからフィードバックされた基準信号受信電力を受信した後に、ｅＮＢは、該ＵＥのＣｏＭＰ協調集合を決定して、ＲＲＣシグナリングを介して、該ＵＥのＣｏＭＰ協調集合とチャネル状態情報（ＣＳＩ）のフィードバックモードとをＵＥに通知し、
ＵＥは、ｅＮＢから通知されたＣｏＭＰ協調集合とＣＳＩのフィードバックモードとに基づいて、ｅＮＢへＣＳＩをフィードバックし、
ｅＮＢは、ＵＥからフィードバックされたＣＳＩに基づいてスケジューリングして、スケジューリング結果をＵＥに通知する、
ことをさらに含むことを特徴とする請求項１に記載の方法。
【請求項３】
前記ＣｏＭＰをサポートする伝送モードを設けることは、従来の伝送モードであるＭｏｄｅ  ８およびＭｏｄｅ  ９を、拡張された伝送モードであるＭｏｄｅ  ８およびＭｏｄｅ  ９がＣｏＭＰをサポートするように拡張する、ことを含むことを特徴とする請求項１に記載の方法。
【請求項４】
拡張された伝送モードであるＭｏｄｅ  ８に対応する下り制御シグナリングが、ＤＣＩ  ｆｏｒｍａｔ  ２Ｂである、ことを特徴とする請求項３に記載の方法。
【請求項５】
拡張された伝送モードであるＭｏｄｅ  ９に対応する下り制御シグナリングが、ＤＣＩ  ｆｏｒｍａｔ  ２Ｃである、ことを特徴とする請求項３に記載の方法。
【請求項６】
前記ＣｏＭＰをサポートする伝送モードを設けることは、協調スケジューリング／ビーム形成のＣｏＭＰ方式をサポートする第１の伝送モードを設け、ジョイントプロセッシングのＣｏＭＰ方式をサポートする第２の伝送モードを設ける、ことを含むことを特徴とする請求項１に記載の方法。
【請求項７】
前記ＣｏＭＰをサポートする伝送モードを設けることは、協調スケジューリング／ビーム形成のＣｏＭＰ方式およびジョイントプロセッシングのＣｏＭＰ方式を両方ともサポートする第１の伝送モードを設ける、ことを含むことを特徴とする請求項１に記載の方法。
【請求項８】
前記第１の伝送モードまたは第２の伝送モードに対応する下り制御シグナリングとして、ＤＣＩ  ｆｏｒｍａｔ  ２Ｂを直接使用する、ことをさらに含むことを特徴とする請求項６または７に記載の方法。
【請求項９】
ＤＣＩ  ｆｏｒｍａｔ  ２Ｂを基に、ジョイントスケジューリングに参加するＵＥの情報を示すための、長さが１〜３ｂｉｔｓであるマルチユーザ情報フィールドを追加することにより、ＤＣＩ  ｆｏｒｍａｔ  ２Ｂを拡張し、拡張されたＤＣＩ  ｆｏｒｍａｔ  ２Ｂを、前記第１の伝送モードまたは第２の伝送モードに対応する下り制御シグナリングとする、ことをさらに含むことを特徴とする請求項６または７に記載の方法。
【請求項１０】
前記第１の伝送モードまたは第２の伝送モードに対応する下り制御シグナリングとして、ＤＣＩ  ｆｏｒｍａｔ  ２Ｃを直接使用する、ことをさらに含むことを特徴とする請求項６または７に記載の方法。
【請求項１１】
ＤＣＩ  ｆｏｒｍａｔ  ２Ｃを基に、ジョイントスケジューリングに参加するＵＥの情報を示すための、長さが１〜７ｂｉｔｓであるマルチユーザ情報フィールドを追加することにより、ＤＣＩ  ｆｏｒｍａｔ  ２Ｃを拡張し、拡張されたＤＣＩ  ｆｏｒｍａｔ  ２Ｃを、前記第１の伝送モードまたは第２の伝送モードに対応する下り制御シグナリングとする、ことをさらに含むことを特徴とする請求項６または７に記載の方法。
【請求項１２】
ＤＣＩ  ｆｏｒｍａｔ  ２Ｃを基に、ＭＩＭＯ情報フィールドを３ｂｉｔｓから２ｂｉｔｓに変更し、変更後のＤＣＩ  ｆｏｒｍａｔ  ２Ｃを、前記第１の伝送モードまたは第２の伝送モードに対応する下り制御シグナリングとする、ことをさらに含むことを特徴とする請求項６または７に記載の方法。
【請求項１３】
ＤＣＩ  ｆｏｒｍａｔ  ２Ｃを基に、ＭＩＭＯ情報フィールドを３ｂｉｔｓから２ｂｉｔｓに変更して、ジョイントスケジューリングに参加するＵＥの情報を示すための、長さが１〜７ｂｉｔｓであるマルチユーザ情報フィールドを追加し、変更後のＤＣＩ  ｆｏｒｍａｔ  ２Ｃを、前記第１の伝送モードまたは第２の伝送モードに対応する下り制御シグナリングとする、ことをさらに含むことを特徴とする請求項６または７に記載の方法。
【請求項１４】
従来のＤＣＩ  ｆｏｒｍａｔ  １ＢにおけるＴＰＭＩフィールドおよびＰＭＩフィールドを除去し、変更後のＤＣＩ  ｆｏｒｍａｔ  １Ｂを、前記第１の伝送モードまたは第２の伝送モードに対応する下り制御シグナリングとする、ことをさらに含むことを特徴とする請求項６または７に記載の方法。
【発明の詳細な説明】
【技術分野】
【０００１】
本発明は無線通信技術に関し、特に、マルチポイント協調伝送（ＣｏＭＰ：Ｃｏｏｒｄｉｎａｔｅｄ  Ｍｕｌｔｉ−Ｐｏｉｎｔ  Ｔｒａｎｓｍｉｓｓｉｏｎ）の設定を実現する方法に関する。
【背景技術】
【０００２】
セルラー移動電話は人々の通信に極めて大きな便利さをもたらし、第２世代グローバル移動通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信技術を採用して、移動通信の通話品質をさらに向上させる。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、移動通信分野での重要な組織として、第３世代移動通信技術（３Ｇ：Ｔｈｅ  Ｔｈｉｒｄ  Ｇｅｎｅｒａｔｉｏｎ）の標準化の進展を大幅に促進し、広帯域符号分割多元接続（ＷＣＤＭＡ：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。【０００３】
広帯域アクセス技術の挑戦に対処し、かつ、増加しつつある新たなサービスの需要を満たすために、３ＧＰＰは２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。【０００４】
ＣｏＭＰとは、地理的に離れた複数の伝送ポイント（例えば基地局）でジョイント協調伝送を行うことを指す。現在、ＣｏＭＰの実現には、以下のような２つのアーキテクチャを採用することができる。１つは、ジョイントプロセッシング（ＪＰ：Ｊｏｉｎｔ  Ｐｒｏｃｅｓｓｉｎｇ）と呼ばれ、もう１つは、協調スケジューリング／ビーム形成（ＣＳ／ＣＢ：Ｃｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇ）と呼ばれる。ここで、ＪＰは、さらに、ジョイント伝送（ＪＴ：Ｊｏｉｎｔ  Ｔｒａｎｓｍｉｓｓｉｏｎ）と、高速セル選択（ＦＣＳ：Ｆａｓｔ  Ｃｅｌｌ  Ｓｅｌｅｃｔｉｏｎ）との２つの方式に分けることができる。具体的に、ＪＴとは、複数の伝送ポイントから同時に１つのユーザへデータを送信することを指す。一方、ＦＣＳでは、ユーザへデータを送信する伝送ポイントが１つしかない。
【発明の概要】
【発明が解決しようとする課題】
【０００５】
現在、ＬＴＥ規格のリリース（Ｒｅｌｅａｓｅ）８では、合計７種類の伝送モード（ＴＭ：Ｔｒａｎｓｍｉｓｓｉｏｎ  Ｍｏｄｅ）が設けられている。ここで、異なる伝送モードは、例えば、閉ループシングルユーザマルチ入力マルチ出力（ＳＵ−ＭＩＭＯ）、開ループＳＵ−ＭＩＭＯ、マルチユーザマルチ入力マルチ出力（ＭＵ−ＭＩＭＯ）、および送信ダイバーシティなどのような異なる機能を代表するものである。ＬＴＥのＲｅｌｅａｓｅ９では、ＳＵ／ＭＵ−ＭＩＭＯの動的切り替えをサポートし、かつユーザごとに最大２つのデータストリームを伝送する新たな伝送モードが設けられている。ＬＴＥのＲｅｌｅａｓｅ１０では、ＳＵ／ＭＵ−ＭＩＭＯの動的切り替えをサポートし、かつユーザごとに最大８つのデータストリームを伝送する新たな伝送モードが設けられている。ＬＴＥシステムでは、上位層シグナリングを介して、各ユーザ端末（ＵＥ）の現在の伝送モードを設定する。それとともに、ＬＴＥシステムでは、上位層シグナリングを介して、各ＵＥの異なる伝送モード間の準静的切り替えを制御する。しかしながら、従来の９種類の伝送モードは、いずれもシングルポイント伝送の場合に設けられたものであり、ＣｏＭＰをサポートしないので、現在のＬＴＥシステムでは、ＣｏＭＰの設定を行うことができず、ＣｏＭＰを実現できない。【０００６】
本発明は上記に鑑みてなされたものであって、本発明の実施例では、ＣｏＭＰの設定を実現する方法が提供されている。これにより、ＬＴＥシステムでは、ＣｏＭＰの設定を実現し、ＬＴＥシステムがＣｏＭＰをサポートすることを可能にする。
【課題を解決するための手段】
【０００７】
本発明の実施例に係るＣｏＭＰの設定を実現する方法は、ＣｏＭＰをサポートする伝送モードを設け、ｅＮＢが、ＲＲＣシグナリングを介して、ＵＥに対して、ＣｏＭＰをサポートする伝送モードを設定する、ことを含む。【０００８】
上記方法は、ＵＥからフィードバックされた基準信号受信電力を受信した後に、ｅＮＢが、該ＵＥのＣｏＭＰ協調集合を決定して、ＲＲＣシグナリングを介して、該ＵＥのＣｏＭＰ協調集合とチャネル状態情報（ＣＳＩ）のフィードバックモードとをＵＥに通知し、ＵＥが、ｅＮＢから通知されたＣｏＭＰ協調集合とＣＳＩのフィードバックモードとに基づいて、ｅＮＢへＣＳＩをフィードバックし、ｅＮＢが、ＵＥからフィードバックされたＣＳＩに基づいてスケジューリングして、スケジューリング結果をＵＥに通知する、ことをさらに含む。【０００９】
ここで、ＣｏＭＰをサポートする伝送モードを設けることは、従来の伝送モードであるＭｏｄｅ  ８およびＭｏｄｅ  ９を、拡張された伝送モードであるＭｏｄｅ  ８およびＭｏｄｅ  ９がＣｏＭＰをサポートするように拡張する、ことを含む。【００１０】
拡張された伝送モードであるＭｏｄｅ  ８に対応する下り制御シグナリングは、ＤＣＩ  ｆｏｒｍａｔ  ２Ｂである。【００１１】
拡張された伝送モードであるＭｏｄｅ  ９に対応する下り制御シグナリングは、ＤＣＩ  ｆｏｒｍａｔ  ２Ｃである。【００１２】
ＣｏＭＰをサポートする伝送モードを設けることは、協調スケジューリング／ビーム形成のＣｏＭＰ方式をサポートする第１の伝送モードを設け、ジョイントプロセッシングのＣｏＭＰ方式をサポートする第２の伝送モードを設け、または、協調スケジューリング／ビーム形成のＣｏＭＰ方式およびジョイントプロセッシングのＣｏＭＰ方式を両方ともサポートする第１の伝送モードを設ける、ことを含む。【００１３】
上記方法は、第１の伝送モードまたは第２の伝送モードに対応する下り制御シグナリングとして、ＤＣＩ  ｆｏｒｍａｔ  ２Ｂを直接使用し、あるいは、ＤＣＩ  ｆｏｒｍａｔ  ２Ｂを基に、ジョイントスケジューリングに参加するＵＥの情報を示すための、長さが例えば１〜３ｂｉｔｓであるマルチユーザ情報フィールドを追加することにより、ＤＣＩ  ｆｏｒｍａｔ  ２Ｂを拡張し、拡張されたＤＣＩ  ｆｏｒｍａｔ  ２Ｂを、第１の伝送モードまたは第２の伝送モードに対応する下り制御シグナリングとし、あるいは、第１の伝送モードまたは第２の伝送モードに対応する下り制御シグナリングとして、ＤＣＩ  ｆｏｒｍａｔ  ２Ｃを直接使用し、あるいは、ＤＣＩ  ｆｏｒｍａｔ  ２Ｃを基に、ジョイントスケジューリングに参加するＵＥの情報を示すための、長さが例えば１〜７ｂｉｔｓであるマルチユーザ情報フィールドを追加することにより、ＤＣＩ  ｆｏｒｍａｔ  ２Ｃを拡張し、拡張されたＤＣＩ  ｆｏｒｍａｔ  ２Ｃを、第１の伝送モードまたは第２の伝送モードに対応する下り制御シグナリングとし、あるいは、ＤＣＩ  ｆｏｒｍａｔ  ２Ｃを基に、ＭＩＭＯ情報フィールドを３ｂｉｔｓから２ｂｉｔｓに変更し、変更後のＤＣＩ  ｆｏｒｍａｔ  ２Ｃを、第１の伝送モードまたは第２の伝送モードに対応する下り制御シグナリングとし、あるいは、ＤＣＩ  ｆｏｒｍａｔ  ２Ｃを基に、ＭＩＭＯ情報フィールドを３ｂｉｔｓから２ｂｉｔｓに変更して、ジョイントスケジューリングに参加するＵＥの情報を示すための、長さが例えば１〜７ｂｉｔｓであるマルチユーザ情報フィールドを追加し、変更後のＤＣＩ  ｆｏｒｍａｔ  ２Ｃを、第１の伝送モードまたは第２の伝送モードに対応する下り制御シグナリングとし、あるいは、従来のＤＣＩ  ｆｏｒｍａｔ  １ＢにおけるＴＰＭＩフィールドおよびＰＭＩフィールドを除去し、変更後のＤＣＩ  ｆｏｒｍａｔ  １Ｂを、第１の伝送モードまたは第２の伝送モードに対応する下り制御シグナリングとする、ことをさらに含む。
【発明の効果】
【００１４】
ここから分かるように、上記方法では、ＣｏＭＰをサポートする伝送モードを設けるとともに、ＲＲＣシグナリングを介して、ＵＥに対して、ＣｏＭＰをサポートする伝送モードを設定することにより、ＣｏＭＰの設定を実現することが可能になり、ＬＴＥシステムがＣｏＭＰ機能をサポートできるようになる。
【図面の簡単な説明】
【００１５】
【図１】本発明の実施例におけるＣｏＭＰの設定を実現する方法のフローチャートである。
【図２】本発明の実施例におけるＣｏＭＰの設定を実現する具体的な方法のフローチャートである。
【発明を実施するための形態】
【００１６】
本発明の目的、解決手段およびメリットをさらに明確にするために、以下、図面を参照して実施例を挙げながら、本発明をさらに詳しく説明する。
【００１７】
ＬＴＥシステムがＣｏＭＰをサポートするように、本発明の実施例では、ＣｏＭＰの設定を実現する方法が提供されている。図１に示すように、該方法は主に以下のステップを含む。
【００１８】
ステップ１０１で、ＣｏＭＰをサポートする伝送モードを設ける。
【００１９】
ステップ１０２で、ＬＴＥアクセスネットワーク側の基地局（ｅＮＢ）は、無線リソース制御（ＲＲＣ）シグナリングを介して、ＵＥに対して、ＣｏＭＰをサポートする伝送モードを設定する。
【００２０】
図２に示すように、ｅＮＢがＵＥに対してＣｏＭＰをサポートする伝送モードを設定した後に、ＣｏＭＰ設定は、具体的に以下のステップによって実現してもよい。
【００２１】
ステップ２０１で、ＵＥからフィードバックされた基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）を受信した後に、ｅＮＢは、該ＵＥのＣｏＭＰ協調集合（Ｃｏｏｐｅｒａｔｉｎｇ  Ｓｅｔ）を決定して、ＲＲＣシグナリングを介して、該ＵＥのＣｏＭＰ協調集合とチャネル状態情報（ＣＳＩ：Ｃｈａｎｎｅｌ  Ｓｔａｔｅ  Ｉｎｆｏｒｍａｔｉｏｎ）のフィードバックモードとをＵＥに通知する。
【００２２】
本ステップにおいて、ｅＮＢは、従来の任意の方法、または将来の可能な全ての新たな方法を用いて、ＵＥのＣｏＭＰ協調集合を決定してもよい。
【００２３】
また、本ステップにおいて、ＵＥのＣｏＭＰ協調集合とＣＳＩのフィードバックモードとをＵＥに通知するために、ＵＥのＣｏＭＰ協調集合とＣＳＩのフィードバックモードとが付けられるように、ＲＲＣシグナリングにおけるチャネル品質情報報告設定メッセージ（ＣＱＩ−ＲｅｐｏｒｔＣｏｎｆｉｇ）を拡張してもよい。このように、ｅＮＢは、ＲＲＣシグナリングにおけるＣＱＩ−ＲｅｐｏｒｔＣｏｎｆｉｇを介して、該ＵＥのＣｏＭＰ協調集合とＣＳＩのフィードバックモードとをＵＥに通知することができる。
【００２４】
ステップ２０２で、ＵＥは、ｅＮＢから通知されたＣｏＭＰ協調集合とＣＳＩのフィードバックモードとに基づいて、ｅＮＢへＣＳＩをフィードバックする。
【００２５】
ステップ２０３で、ｅＮＢは、ＵＥからフィードバックされたＣＳＩに基づいてスケジューリングして、スケジューリング結果をユーザに通知する。即ち、ｅＮＢは、ＵＥがＣＳ／ＣＢのＣｏＭＰの伝送方式を採用するか、それともＪＰのＣｏＭＰの伝送方式を採用するかを決定して、ＵＥに通知する。
【００２６】
本ステップにおいて、ｅＮＢは、従来の任意の方法、または将来の可能な全ての新たな方法を用いてスケジューリングしてもよい。
【００２７】
上記のステップ１０１を実現するために、本発明の実施例では、ＣｏＭＰをサポートする伝送モードを設ける方法が複数提供されている。
【００２８】
また、各種の伝送モードでも、ｅＮＢは、下り制御シグナリングを介して、ＵＥに対して、そのデータ受信用の各種の関連情報（例えば、ＵＥの変調符号化方式（ＭＣＳ）や、ＵＥに割り当てられたリソースなど）を設定する必要がある。このため、本発明の実施例では、ＣｏＭＰをサポートする伝送モードを設ける必要がある以外に、該伝送モードに対応する下り制御シグナリングを設ける必要もある。具体的に、該伝送モードに対応する下り制御シグナリングを設けることは、該伝送モードに対応する下り制御情報（ＤＣＩ：Ｄｏｗｎｌｉｎｋ  Ｃｏｎｔｒｏｌ  Ｉｎｆｏｒｍａｔｉｏｎ）フォーマット（ｆｏｒｍａｔ）を設けることを指す。
【００２９】
以下、具体的な例によって、ＣｏＭＰをサポートする伝送モードおよびその対応するＤＣＩ  ｆｏｒｍａｔを設ける各種の方法を詳しく説明する。
【００３０】
方法１：従来の伝送モードであるＭｏｄｅ  ８およびＭｏｄｅ  ９を、拡張された伝送モードであるＭｏｄｅ  ８およびＭｏｄｅ  ９がＣｏＭＰをサポートするように拡張する。拡張された伝送モードであるＭｏｄｅ  ８およびＭｏｄｅ  ９の定義は、それぞれ表１および表２に示す通りである。
【表１】
2012144645.tif 000003
【表２】
2012144645.tif 000004
【００３１】
表１から分かるように、拡張された伝送モード８は、ＣｏＭＰをサポートすることができ、かつその対応する下り制御シグナリングがＤＣＩ  ｆｏｒｍａｔ  ２Ｂである。具体的に、ＬＴＥアクセスネットワーク側は、拡張された伝送モード８に対応する下り制御シグナリングとして、従来のＤＣＩ  ｆｏｒｍａｔ  ２Ｂを直接使用することができる。
【００３２】
また、表２から分かるように、拡張された伝送モード９も、ＣｏＭＰをサポートすることができ、かつその対応する下り制御シグナリングがＤＣＩ  ｆｏｒｍａｔ  ２Ｃである。具体的に、ＬＴＥアクセスネットワーク側は、拡張された伝送モード９に対応する下り制御シグナリングとして、従来のＤＣＩ  ｆｏｒｍａｔ  ２Ｃを直接使用することができる。
【００３３】
上記方法によって、ＣｏＭＰをサポートする伝送モードおよびその対応する下り制御シグナリングを設けることができ、即ち、ステップ１０１を実現することができる。この場合、ステップ１０２で、ｅＮＢは、ＲＲＣシグナリングを介して、ユーザに対して、シングルポイントによるＣＳＩフィードバックを行うか、それともマルチポイントによるＣＳＩフィードバックを行うかを設定することができる。そして、ｅＮＢは、ＵＥからフィードバックされたＣＳＩを受信した後に、シングルポイント伝送およびマルチポイント伝送の中から選択することができるが、ＵＥに通知する必要がない。つまり、上記方法は、シングルポイント伝送とマルチポイント伝送との動的切り替えをサポートする。
【００３４】
方法２：ＣｏＭＰのＣＳ／ＣＢおよびＪＰという２つのＣｏＭＰ方式に対して、新たな第１および第２の伝送モードを設けるとともに、第１および第２の伝送モードに対応する新たな下り制御シグナリングを設けることにより、ＣｏＭＰをサポートする。ここで、新たに設けられる第１の伝送モードであるＭｏｄｅ  １０、および第２の伝送モードであるＭｏｄｅ  １１の定義は、下記の表３に示す通りである。説明すべきものとして、説明の便宜上、本発明の実施例では、第１および第２の伝送モードに対応する下り制御シグナリングを、ＤＣＩ  ｆｏｒｍａｔ  ２Ｄ／２Ｅと称する。
【表３】
2012144645.tif 000005
表３から分かるように、新たに設けられる第１の伝送モードであるＭｏｄｅ  １０は、ＣｏＭＰのＣＳ／ＣＢ方式をサポートするものであり、かつその対応するＤＣＩ  ｆｏｒｍａｔが、新たなＤＣＩ  ｆｏｒｍａｔ  ２Ｄである。新たに設けられる第２の伝送モードであるＭｏｄｅ  １１は、ＣｏＭＰのＪＰ方式をサポートするものであり、かつその対応するＤＣＩ  ｆｏｒｍａｔが、新たなＤＣＩ  ｆｏｒｍａｔ  ２Ｄ／２Ｅである。
【００３５】
具体的に、本発明の実施例では、複数の方法を用いて、新たなＤＣＩ  ｆｏｒｍａｔ  ２Ｄ／２Ｅの設計を実現することができる。これら方法は下記のものを含む。
１）ＤＣＩ  ｆｏｒｍａｔ  ２Ｄ／２Ｅとして、ＤＣＩ  ｆｏｒｍａｔ  ２Ｂを直接使用する。
２）ＤＣＩ  ｆｏｒｍａｔ  ２Ｂを基に、ジョイントスケジューリングに参加するＵＥの情報（例えば、ジョイントスケジューリングに参加するＵＥの復調基準信号（ＤＭＲＳ）ポート情報、直交カバーコード（ＯＣＣ）の長さまたはＤＭＲＳポート総数、およびＤＭＲＳ密度など）を示すための、長さが例えば１〜３ｂｉｔｓであるマルチユーザ情報フィールドを追加することにより、ＤＣＩ  ｆｏｒｍａｔ  ２Ｂを拡張し、拡張されたＤＣＩ  ｆｏｒｍａｔ  ２ＢをＤＣＩ  ｆｏｒｍａｔ  ２Ｄ／２Ｅとする。具体的な構造は、下記の表４に示す通りである。
【表４】
2012144645.tif 000006
３）ＤＣＩ  ｆｏｒｍａｔ  ２Ｄ／２Ｅとして、ＤＣＩ  ｆｏｒｍａｔ  ２Ｃを直接使用する。
４）ＤＣＩ  ｆｏｒｍａｔ  ２Ｃを基に、ジョイントスケジューリングに参加するＵＥの情報を示すための、長さが例えば１〜７ｂｉｔｓであるマルチユーザ情報フィールドを追加することにより、ＤＣＩ  ｆｏｒｍａｔ  ２Ｃを拡張し、拡張されたＤＣＩ  ｆｏｒｍａｔ  ２ＣをＤＣＩ  ｆｏｒｍａｔ  ２Ｄ／２Ｅとする。具体的な構造は、下記の表５に示す通りである。
【表５】
2012144645.tif 000007
５）ＤＣＩ  ｆｏｒｍａｔ  ２Ｃを基に、復調基準信号（ＤＭＲＳ）ポート、スクランブリングシーケンスインデックス（ＳＣＩＤ：Ｓｃｒａｍｂｌｉｎｇ  Ｓｅｑｕｅｎｃｅ  Ｉｎｄｅｘ）、およびＵＥのデータストリーム数（ｒａｎｋ）などの情報を示すためのＭＩＭＯ情報フィールドのビット数を、３ｂｉｔｓから２ｂｉｔｓに低減し、変更後のＤＣＩ  ｆｏｒｍａｔ  ２ＣをＤＣＩ  ｆｏｒｍａｔ  ２Ｄ／２Ｅとする。具体的な構造は、下記の表６に示す通りである。
【表６】
2012144645.tif 000008
６）ＤＣＩ  ｆｏｒｍａｔ  ２Ｃを基に、ＤＭＲＳポート、ＳＣＩＤ、およびＵＥ  ｒａｎｋなどの情報を示すためのＭＩＭＯ情報フィールドのビット数を、３ｂｉｔｓから２ｂｉｔｓに低減し、ジョイントスケジューリングに参加するＵＥの情報を示すための、長さが例えば１〜７ｂｉｔｓであるマルチユーザ情報フィールドを追加し、変更後のＤＣＩ  ｆｏｒｍａｔ  ２ＣをＤＣＩ  ｆｏｒｍａｔ  ２Ｄ／２Ｅとする。具体的な構造は、下記の表７に示す通りである。
【表７】
2012144645.tif 000009
７）従来のＤＣＩ  ｆｏｒｍａｔ  １Ｂにおけるプリコーディング指示子（ＴＰＭＩ）フィールドおよびプリコーディングタイプ指示子（ＰＭＩ）フィールドを除去し、変更後のＤＣＩ  ｆｏｒｍａｔ  １ＢをＤＣＩ  ｆｏｒｍａｔ  ２Ｄ／２Ｅとする。具体的な構造は、下記の表８に示す通りである。
【表８】
2012144645.tif 000010
８）ＤＣＩ  ｆｏｒｍａｔ  １Ｂをさらに短縮させ、更なる制限を加える。例えば、リソースを連続的に割り当てなければならないと要求される。
【００３６】
上記の方式では、ＵＥからフィードバックされたＣＳＩを受信した後に、ｅＮＢは、シングルポイント伝送およびマルチポイント伝送の中から選択することができるが、シングルポイント伝送であるか、それともマルチポイント伝送であるかを、ＵＥに通知する必要がない。つまり、上記方法は、シングルポイント伝送とマルチポイント伝送との動的切り替えをサポートする。
【００３７】
方法３：ＣＳ／ＣＢおよびＪＰに対して、統一的な伝送モード、即ち第１の伝送モードであるＭｏｄｅ  １０を設けるとともに、新たなＤＣＩ  ｆｏｒｍａｔを設けることにより、ＣｏＭＰをサポートする。この方法では、ＣＳ／ＣＢの性能の最適化を目標とすることに応じて、ユーザのフィードバックもＣＳ／ＣＢに対するものである。ｅＮＢは、シングルポイント伝送、並びにマルチポイント伝送のＣＳ／ＣＢおよびＪＰの中から選択することができるが、シングルポイント伝送であるか、それともマルチポイント伝送であるかを、ＵＥに通知する必要がない。つまり、上記方法は、シングルポイント伝送とマルチポイント伝送との動的切り替えをサポートする。新たに設けられる第１の伝送モードであるＭｏｄｅ  １０の定義は、下記の表９に示す通りである。
【表９】
2012144645.tif 000011
表９から分かるように、新たに設けられる第１の伝送モードであるＭｏｄｅ  １０は、ＣｏＭＰのＣＳ／ＣＢ（ＪＰ）方式をサポートするものであり、かつその対応する下り制御シグナリングが、新たなＤＣＩ  ｆｏｒｍａｔ―ＤＣＩ  ｆｏｒｍａｔ  ２Ｄである。前述したように、上記の方法１）〜７）などの複数の方法を用いて、新たなＤＣＩ  ｆｏｒｍａｔ  ２Ｄの設計を実現することができる。
【００３８】
方法４：ＣＳ／ＣＢおよびＪＰに対して、統一的な伝送モード、即ち第１の伝送モードであるＭｏｄｅ  １０を設けるとともに、新たなＤＣＩ  ｆｏｒｍａｔを設けることにより、ＣｏＭＰをサポートする。この方法では、ＪＰの性能の最適化を目標とすることに応じて、ユーザのフィードバックもＪＰに対するものである。基地局は、シングルポイント伝送、並びにマルチポイント伝送のＣＳ／ＣＢおよびＪＰの中から選択することができるが、シングルポイント伝送であるか、それともマルチポイント伝送であるかを、ＵＥに通知する必要がない。つまり、上記方法は、シングルポイント伝送とマルチポイント伝送との動的切り替えをサポートする。新たに設けられる第１の伝送モードであるＭｏｄｅ  １０の定義は、下記の表１０に示す通りである。
【表１０】
2012144645.tif 000012
表１０から分かるように、新たに設けられる第１の伝送モードであるＭｏｄｅ  １０は、ＣｏＭＰのＪＰ（ＣＳ／ＣＢ）方式をサポートするものであり、かつその対応する下り制御シグナリングが、新たなＤＣＩ  ｆｏｒｍａｔ―ＤＣＩ  ｆｏｒｍａｔ  ２Ｄである。前述したように、上記の方法１）〜７）などの複数の方法を用いて、新たなＤＣＩ  ｆｏｒｍａｔ  ２Ｄの設計を実現することができる。
【００３９】
上述したように、上記の方法１〜方法４のいずれか１つの方法によって、ＣｏＭＰをサポートする伝送モードを設けることができるため、ＣｏＭＰの設定を実現することが可能になり、ＬＴＥシステムがＣｏＭＰ機能をサポートできるようになる。また、上記の方法１〜方法４のいずれか１つの方法によって、ＣｏＭＰをサポートする伝送モードに対応する下り制御シグナリングのＤＣＩ  ｆｏｒｍａｔを設けることもできる。そして、設けられる下り制御シグナリングを介して、ｅＮＢは、ＵＥの下りデータ受信に必要な情報をＵＥに送信することができる。これにより、ＵＥは、下りデータを正確に受信することができる。
【００４０】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【００４１】
本出願は、２０１１年４月２２日出願の２０１１１０１１１２６６．Ｘに基づく。この内容は、全てここに含めておく。
【図１】
2012144645.tif 000013
【図２】
2012144645.tif 000014
【国際調査報告】
2012144645.tif 000015
2012144645.tif 000016
2012144645.tif 000017
2012144645.tif 000018